(57)【特許請求の範囲】
【請求項１】
搾乳器システムのための作動ユニットであって、ハウジング及び該ハウジング内で受けられる真空ポンプを含み、前記ハウジングは、管を取り付けるための連結装置、及び、管を巻きつけることができる外表面を有し、前記外表面の少なくとも一部は、座屈なしで前記管を前記ハウジングの周りに巻きつけることができるようにカーブし、前記外表面はくぼみを含み、さらに、前記連結装置は前記くぼみの中に置かれ、前記連結装置に近位の前記管の一部が座屈しないように、前記管が前記連結装置に接続された場合に前記くぼみの表面が前記管をガイド且つ支持するように前記くぼみの表面は全ての方向において前記連結装置から離れるに従いカーブするラッパ形状を有し、
カーブした前記外表面の少なくとも一部は複数の直線的な表面を含み、該複数の直線的な表面は、巻きつけられる前記管が座屈しない又はよじれないようにする角度で互いに接続されている、作動ユニット。
【請求項２】
カーブした前記外表面の少なくとも一部は丸みを含む、請求項１に記載の作動ユニット。
【請求項３】
前記外表面は、直線的な表面をさらに含む、請求項１に記載の作動ユニット。
【請求項４】
前記外表面は、前記ハウジングの周りに巻きつけられた管を保持するように構成されるへりを有する、請求項１乃至３のいずれか一項に記載の作動ユニット。
【請求項５】
前記外表面は、前記ハウジングの周りに前記管をガイドするための少なくとも１つの隆起部を有して形成される、請求項１乃至４のいずれか一項に記載の作動ユニット。
【請求項６】
前記連結装置は、前記くぼみから延びるホローピンを、前記管の中に前記ピンを挿入することによって管を前記ピンに取り付けることができるように含む、請求項１乃至５のいずれか一項に記載の作動ユニット。
【請求項７】
前記ホローピンは、前記くぼみの表面と一体形成される、請求項６に記載の作動ユニット。
【請求項８】
請求項１乃至７のいずれか一項に記載の作動ユニット並びに管を含む搾乳器システムであって、前記管は、前記連結装置に取り付け可能な第１の末端及び第２の末端を有し、当該搾乳器システムは、前記管が前記ハウジングの周りに巻きつけられた場合に前記管の第２の末端を固定するように構成される取付け部材をさらに含む、搾乳器システム。
【請求項９】
前記取付け部材は、前記管の第２の末端を前記管の別の部分に取り付けるように構成される、請求項８に記載の搾乳器システム。
【請求項１０】
前記取付け部材は、前記管の第２の末端を前記ハウジングに取り付けるように構成される、請求項８に記載の搾乳器システム。
【請求項１１】
前記取付け部材は、圧出ユニットの本体に取り外し可能に取り付けることができるように構成されるキャップを含む、請求項８に記載の搾乳器システム。
【請求項１２】
前記キャップは、前記管の第２の末端に取付け可能であり、さらに、前記キャップは、前記管の第２の末端が前記管の別の部分に取り付け可能であるようにクリップを含む、請求項１１に記載の搾乳器システム。
【請求項１３】
前記取付け部材は、前記管が前記ハウジングの周りに巻きつけられた場合に、前記管の第２の末端で前記管の第１の末端を取り付けるように構成される、請求項８に記載の搾乳器システム。
【発明の詳細な説明】
【技術分野】
【０００１】
本発明は、搾乳器システムに関し、特に、搾乳器を作動させるための作動ユニットに関する。
【背景技術】
【０００２】
搾乳器システムは、圧出ユニットとして作用する搾乳器、及び、搾乳器を作動させるための作動ユニットを含む。圧出ユニットは、乳房を受ける漏斗、及び、圧出母乳が回収される容器を有する。作動ユニットは、モーターによって駆動される真空ポンプを含む。使用中、真空ポンプは、乳房に対して真空状態を適用し、母乳が圧出されるのを可能にする。真空状態は、直接又は圧出ユニット内に置かれる膜を介して乳房に適用され、膜は変形し、従って、漏斗において真空状態が生じるようにする。
【０００３】
搾乳器システムは、典型的には、母乳と接触している搾乳器システムのいかなる部分も各使用後に滅菌することができるように、及び、使用されていない場合に便利な場所において搾乳器システムを保管することができるように、組み立てられ且つ解体されるよう構成される。しかし、解体された状態で搾乳器システムを保管する場合に、搾乳器システムの一部を傷つけるか又は失うリスクがある。
【発明の概要】
【発明が解決しようとする課題】
【０００４】
上記の問題を実質的に軽減するか又は克服する作動ユニット及び搾乳器システムを提供することが本発明の目的である。
【課題を解決するための手段】
【０００５】
本発明によると、搾乳器システムのための作動ユニットが提供され、当該作動ユニットは、ハウジング及び該ハウジング内で受けられる真空ポンプを含み、ハウジングは、管を取り付けるための連結装置、及び、管を巻きつけることができる外表面を有し、外表面の少なくとも一部は、座屈（ｂｕｃｋｌｉｎｇ）なしでハウジングの周りに管を巻きつけることができるようにカーブし、外表面はくぼみを含み、さらに、連結装置はそのくぼみの中に置かれ、連結装置に近位の管の一部が座屈しないように、管が連結装置に接続された場合にくぼみの表面が管をガイド且つ支持するようにくぼみの表面は連結装置から離れるに従いカーブする。
【０００６】
これは、ハウジングの周りに管をきれいに巻きつけることができるため、搾乳器システムが使用中でない場合に作動ユニットを容易に収納する、保管する又は運ぶことができるという利点を提供する。ハウジングの周りに管を巻きつけることによって、管を失うリスクが最小限にされる。さらに、ハウジングの外表面のカーブした部分が、管を傷つける恐れがある座屈を生じさせないように管を妨げる。座屈は、管のへこみ、よじれ又は折りたたみを含むとして理解されることになる。
【０００７】
ハウジングの外表面の少なくとも一部がカーブした搾乳器システムのための作動ユニットは、例えばＵＳ６，５４７，７５６  Ｂ１、ＷＯ２０１０／０８３４８５  Ａ２、ＵＳ  ２００８／００９０４４５  Ａ１及びＤＥ  １０  ２００４  ０３０  ６９２  Ｂ３から、それ自体既知であるということに留意されたい。
【０００８】
本発明は、さらに、連結装置から離れるに従い広がるくぼみの表面が、使用中及び保管される場合に管が座屈するか又はよじれるのを防ぐように、ハウジングから離れていかなる方向でも管をガイド且つ支持するという利点を提供する。さらに、いかなる方向においてもハウジングの周りに管を巻きつけるのを可能にする。加えて、使用者は、管の長さの中にいる限り、ハウジングに対していかなる方向においても位置することができる。
【０００９】
一実施形態において、カーブした外表面の少なくとも一部は、互いに斜角で延びる複数の直線部分を含んでもよい。
【００１０】
これは、ハウジングの周りに管が巻きつけられた場合に、複数の直線部分を含む外表面のカーブした部分が、管を傷つける恐れがある座屈を生じさせないように管を妨げるという利点を提供する。
【００１１】
代わりの実施形態において、カーブした外表面の少なくとも一部は、丸み（ｒａｄｉｕｓ）を含んでもよい。
【００１２】
これは、ハウジングの外表面のこのカーブした部分が、管を傷つける恐れがある座屈を生じさせないように管を妨げるという利点を提供する。
【００１３】
別の実施形態において、外表面は、直線部分をさらに含んでもよい。
【００１４】
これは、カーブした部分及び直線部分がどちらも、ハウジングの周りに管が巻きつけられた場合に管を支持するという利点を提供する。
【００１５】
一実施形態において、外表面は、連続的にカーブしていてもよい。
【００１６】
これは、ハウジングの周りに管が巻きつけられた場合に管を連続的に支持することができるという利点を提供する。
【００１７】
別の実施形態において、外表面は、ハウジングの周りに巻きつけられた管を保持するようにへりを有する。
【００１８】
これは、ハウジングの周りに管が巻きつけられた場合に、管がハウジングからすべり落ちるのを防ぐのにへりが寄与するという利点を提供する。
【００１９】
好ましくは、外表面は、ハウジングの周りに管をガイドするために、少なくとも１つの隆起部を有して形成される。
【００２０】
これは、ハウジングの周りに管がきれいに巻きつけられるように、隆起部がハウジングの周りに管をガイドするという利点を提供する。さらに、隆起部は、管がハウジングからすべり落ちるのを防ぐのに寄与するように管を支持する。
【００２１】
好ましくは、連結装置は、くぼみから延びるホローピンを、管の中にピンを挿入することによって管をピンに取り付けることができるように含む。
【００２２】
これは、管がハウジングに取り外し可能に取り付けられる、及び、管が真空ポンプと流体連通しているという利点を提供する。
【００２３】
好ましくは、ホローピンは、くぼみの表面と一体形成される。
【００２４】
これは、ハウジングは、組み立てられるのが容易であり、さらに、清潔にしておくことがより容易であるという利点を提供する。
【００２５】
一実施形態において、ハウジングの外表面は、連続的な外周面であってもよい。
【００２６】
これは、ハウジングの周りに管が巻きつけられた場合に、集中応力の領域を有さないように外表面によって連続的に支持されるという利点を提供する。
【００２７】
一実施形態において、外表面は、円周的にカーブしていてもよい。
【００２８】
本発明の別の態様によると、上記の作動ユニット及び管を含む搾乳器システムが提供され、管は、連結装置に取り付け可能な第１の末端及び第２の末端を有し、さらに、搾乳器システムは、ハウジングの周りに管が巻きつけられた場合に管の第２の末端を固定するように構成される取付け部材を含む。
【００２９】
これは、ハウジングの周りに管が巻きつけられた場合に、作動ユニット及び管を容易にしまいこむ、保管する又は運ぶことができるように、その巻きつけられた位置で固定することができるという利点を提供する。さらに、だらりとぶらさがった部分はなく、さもなければそれは傷つけられ得る。加えて、ハウジングの周りに管が巻きつけられた場合に、管は容易に巻きを解くことができ且つすぐに使用することができるということが使用者に合図される。
【００３０】
一実施形態において、取付け部材は、管の第２の末端を管の別の部分に取り付けるように構成されてもよい。
【００３１】
別の実施形態において、取付け部材は、管の第２の末端をハウジングに取り付けるように構成されてもよい。
【００３２】
一実施形態において、取付け部材は、ハウジングと一体形成されてもよい。
【００３３】
これは、ハウジングの周りに巻きつけられた位置で管を固定することができる、及び、取付け部材を誤って失うことはできないという利点を提供する。
【００３４】
好ましくは、取付け部材は、圧出ユニットの本体に取り外し可能に取り付けることができるように構成されたキャップを含む。
【００３５】
これは、キャップも安全に保管するか又は運ぶことができるという利点を提供する。
【００３６】
好都合なことに、キャップは、管の第２の末端に取り付け可能であってもよく、さらに、キャップは、管の第２の末端が管の別の部分に取り付け可能であるようにクリップを含んでもよい。
【００３７】
キャップ及び管は、概して圧出母乳と接触しないため、圧出母乳と接触する搾乳器システムの他の部分と違って解体され且つ滅菌される必要はない。取付け部材がキャップ及びクリップを含み、さらに、巻きつけられた位置で管を固定するために取付け部材が使用される実施形態において、搾乳器が保管される場合にキャップを誤って失うリスクが最小限にされるという利点が提供される。
【００３８】
好ましくは、クリップは、キャップと一体形成される。
【００３９】
これは、ハウジングからの巻きを解くように管にさせ得る、クリップのキャップからの分離を行うことができないという利点を提供する。
【００４０】
一実施形態において、取付け部材は、管がハウジングの周りに巻きつけられた場合に、管の第２の末端で管の第１の末端を取り付けるように構成されてもよい。
【００４１】
これは、ハウジングの周りに巻きつけられた管を固定するために管の末端がハウジングに取り付けられる必要はないという利点を提供する。
【００４２】
本発明の前記及び他の態様が、以下に記載の実施形態から明らかになり、さらに、以下に記載の実施形態を参考にして説明される。
【００４３】
次に、本発明の実施形態が、単に例として、付随の図面を参考にして記載される。
【図面の簡単な説明】
【００４４】
【図１】本発明の一実施形態による搾乳器システムを示した図である。
【図２】本発明の一実施形態による作動ユニットを示した図である。
【図３】作動ユニットのハウジングの周りに巻きつけられた管を有する図２における作動ユニットを示した図である。
【図４】作動ユニットの連結装置及びくぼみを示した図である。
【図５】一実施形態によるくぼみの表面の形状を例示した図である。
【図６】図２乃至４において示された作動ユニットの断面を例示した図である。
【図７】別の実施形態による作動ユニットの断面を例示した図である。
【図８】さらに別の実施形態による作動ユニットの断面を例示した図である。
【図９】取り付け部材の一実施形態を示した図である。
【図１０】別の実施形態による取り付け部材の一実施形態を示した図である。
【発明を実施するための形態】
【００４５】
次に、図面を参照すると、一実施形態による搾乳器システムが図１において示されている。搾乳器システム１は、管４を介して接続される圧出ユニット２及び作動ユニット３を含む。
【００４６】
圧出ユニット２は、本体７、使用者の乳房を受けるための漏斗５、及び、圧出母乳を回収するための容器６で形成される。漏斗５及び容器６は本体７に接続される。本体７は、真空チャンバ（図示せず）を含む。可撓性の膜又は隔壁（図示せず）が、真空チャンバ内に置かれる。
【００４７】
作動ユニット３は、制御装置（図示せず）、電源（図示せず）、モーター（図示せず）及び真空ポンプ（図示せず）を含む。制御装置は、電源、モーター及び真空ポンプの作動を制御する。使用中、真空ポンプは、膜が変形するように、本体７内に置かれた膜に対して真空状態を適用する。可撓性の膜は、漏斗５において真空状態を生じさせるように変形し、それは次に、乳房に対して真空状態を適用し、それは、母乳が圧出されるのを可能にする。膜は、作動ユニット３に通じる管４内に圧出母乳が流れるのも防ぐ。一実施形態において、膜は、膜が変形するに従い反転する。しかし、代わりの実施形態において、膜は反転しない。
【００４８】
搾乳器システムは、間接的に乳房に対して真空状態が適用されるように膜を含むとして記載されているけれども、代わりの実施形態において、直接使用者の女房に対して真空状態が適用されるということが理解されるべきである。この実施形態において、搾乳器システムは膜を含まず、さらに、真空ポンプによって生じさせられた真空状態は直接乳房に対して適用される。
【００４９】
次に、図２を参照すると、作動ユニット３は、底壁８、頂壁９、及び、底壁８と頂壁９との間を延びる側壁１０を有するハウジングを含む。底壁８、頂壁９及び側壁１０は、少なくとも制御装置、真空ユニット又は真空ポンプ及び電源を保持するための空間を画定する。底壁８、頂壁９及び側壁１０は、一体形成するか、又は、別々に製造し、その後、組み立ててハウジングを作ることができる。
【００５０】
頂壁９及び底壁８は、いかなる形状のものであってもよい。
【００５１】
ハウジングの側壁１０は、ハウジングの外面が楕円を形成するように連続的にカーブした外表面１１を有する。カーブした外表面は、管４が、管４の座屈なしで作動ユニット３のハウジングの周りに巻きつけられるのを可能にする。従って、搾乳器システム１が使用され且つ解体されて収納される場合に、ハウジングの側壁１０の外表面の周りに管４を巻きつけることができる。ハウジングの周りに巻きつけられた管４は、図３において示されている。
【００５２】
外表面１１は、連続的又は円周的にカーブしているとして先に記載されてきたけれども、本発明の範囲は、一部のみがカーブしているハウジングの側壁の外表面も含むということが意図される。例えば、外表面は直線部分も含んでよい。一実施形態において、外表面は、ハウジングの外面が長方形又は長円形であるように、外表面の２つのカーブした部分及び２つの直線部分を含む。外表面は、或いは、ハウジングの外面が円形、楕円形若しくは卵形であるように形作られてもよく、又は、さらに代わりの実施形態において、外表面は、ハウジングが正方形であるがコーナーがカーブしたか若しくは丸みのあるように形作られるということも理解されたい。
【００５３】
上記の実施形態のいずれにおいても側壁の外表面１１のカーブした部分は面取り部であるということが正しく理解されたい。さらに、上記の実施形態のいずれにおいても外表面のカーブした部分は、円周的にカーブしているように丸みを含んでもよい。上記の実施形態のカーブした部分は、或いは、角度を有して互いに接続される複数の直線的な表面を含んでもよいということも予想される。この実施形態において、複数の直線的な表面は、管がハウジングの周りに巻きつけられた場合に、管が座屈するか又はよじれるのを前記複数の直線的な表面を含むカーブした部分が防ぐように、ある角度で互いに接続される。
【００５４】
図２において見られるように、外表面は、底壁８と接する第１の縁１２、及び、頂壁９と接する第２の縁１３を含む。第１及び第２の縁１２、１３は平行であるが、これは任意である。さらに、第１及び第２の縁１２、１３は、管４がハウジングの周りに巻きつけられる方向に対して平行であるが、これも任意であるということが正しく理解されるべきである。
【００５５】
第１の縁１２に隣接して、外表面は、連結装置１５が置かれるくぼみ１４を有して形成される。図４及び６において最もよく見られるように、連結装置１５は、管４の開いた末端の中にピン１６を挿入することによって管４をピン１６に接続することができるように、くぼみ１４を通って延びるホローピン１６である。代わりの実施形態において、連結装置は、ハウジング内の通路又は穴であり、そこを通して管の末端を挿入することができる。連結装置１５の機能は、真空ポンプと気体又は流体連通するように、管４をハウジングに取り付けることである。
【００５６】
くぼみ１４は、図５において例示されているように、くぼみ１４の表面１７がらっぱ形のもの又は部分的な円錐曲線回転体として形成されるように、連結装置１５から離れるに従い広がるか又はカーブする表面１７を有する。くぼみの表面１７は、全ての方向に連結装置１５又はピン１６から離れるに従いカーブする。表面１７の曲率は、全ての方向において同じであってもよいか、又は或いは、表面１７の曲率は、方向間で異なってもよい。連結装置１５から離れるに従い広がるか又はカーブしているくぼみ１４の表面１７の利点は、使用中又は保管された場合に連結装置１５に近位の管４の一部が座屈しない又はよじれないように、連結装置１５に接続された場合に管４をガイドするか又は支持するということである。管４が座屈しない又はよじれないように要求される表面１７の曲率半径は、管４の可撓性及び大きさ次第である。
【００５７】
くぼみ１４及び連結装置１５は、図２において見られるように、第１の縁１２に隣接して置かれる。これは、くぼみ１４及び連結装置１５が第１及び第２の縁から等距離に置かれる場合よりも大きな外表面１１の表面領域の周りに管４が巻きつけられるのを可能にする。しかし、第１の縁１２に隣接して置かれているくぼみ１４及び連結装置１５に本発明は限定されないということを理解されたい。代わりの実施形態において、くぼみ１４及び連結装置１５は、第２の縁に隣接して置かれ、さらに別の代わりの実施形態において、くぼみ１４及び連結装置１５は、第１及び第２の縁１２、１３間である距離をおいて置かれる。
【００５８】
外表面は、さらに、図２において最もよく見られるように、へり又は肩状のもの１８を有して形成される。へりは、第１の縁１２に隣接しているが、へり１８は、或いは、第２の縁１３に隣接していてもよく、又は、１２と１３との間である距離をおいてあってもよいということを正しく理解されたい。別の代わりの実施形態において、第１のへりが第１の縁１２に隣接して形成され、さらに、第２のへりが第２の縁１３に隣接して形成される。１つのへり１８又は複数のへりは、ハウジングの周りに巻きつけられた管４がハウジング上に保持されるのに寄与する。従って、１つ又は複数のへりは、ハウジングの周りに巻きつけられた場合に管４がハウジングからすべり落ちるのを防ぐ。
【００５９】
ハウジングの外表面１１は、管４がハウジングの周りに巻きつけられる方向に平行に延びる１つ又は複数の隆起部を有して形成されてもよい。１つ又は複数の隆起部は、ハウジングの周りに管４をガイドする。さらに、１つ又は複数の隆起部は、管がハウジングからすべり落ちるのを防ぐのに寄与するように管４を支持する。
【００６０】
図７において例示された代わりの実施形態において、作動ユニット２５のハウジングは、管がハウジングの周りに巻きつけられた場合に管４と連続的に接触しない外表面２６を含む。この実施形態において、外表面２６は、管がハウジングの周りに巻きつけられた場合に管と接触しない作動ユニット２５の中心に向かって延びる中心部分２７を有する。
【００６１】
図８において例示されたさらに別の代わりの実施形態において、連結装置１５は、環状の突出部２８によって形成されるくぼみ内に置かれる。くぼみは、図６を参考にして記載される実施形態と類似の連結装置１５から離れるに従い広がるか又はカーブする表面２９を有するため、この実施形態のくぼみの表面２９も、連結装置１５に近位の管の一部が、使用及び保管中に、座屈しない又はよじれないように、連結装置に接続された場合に管をガイド及び支持する。連結装置１５は、図８において例示されているようにピンであってもよく、又は、開口部若しくは穴であってもよく、そこを通して管は挿入される。
【００６２】
上記の実施形態のいずれによる搾乳器システム１も、以下に記載されるように、そのハウジングの周りに巻きつけられた位置で管４を固定するための、又は、本体７に管の末端を固定するための取付け部材をさらに含んでもよい。取付け部材は、その巻きつけられた位置で又は本体７に、管を直接若しくは間接的に固定してもよい。
【００６３】
搾乳器システムの一実施形態において、管４の第１の末端は、上記のように連結装置１５に取り付けられる。これは、ハウジングの周りに巻きつけられている場合に管４に対して係留点を提供する。搾乳器システムは、例えば、ハウジングの周りに巻きつけられた管をその巻きつけられた位置で維持することができ、そのため搾乳器システムを容易に保管することができるように、管４の別の部分又はハウジングに管４の第２の末端を取り付けるよう構成される取付け部材をさらに含む。或いは、取付け部材は、例えば搾乳器システムが使用中である場合に、管の第２の末端を本体７に取り付けるように構成される。取付け部材は、本体７又は作動ユニットのハウジングと一体形成することができるクリップであってもよい。管４の第２の末端を管の別の部分に取り付けるように構成されたクリップ３０の例が、図１０において示されている。クリップ３０は、管の周りを掴むように構成された２つのアーム３１、３２の対を含む。
【００６４】
別の実施形態において、取付け部材は、図９において見られるようにキャップ２０を含む。キャップ２０は、管４の第２の末端に取り付け可能な通気道を含む。キャップ２０は、キャップが本体７に取り付けられた場合にキャップ２０が圧出ユニット３の真空チャンバの上部を形成するように、圧出ユニット３の本体７に取り外し可能に取り付けることができるようさらに構成される。従って、キャップ２０が本体７に取り付けられ且つ真空ポンプが作動させられた場合に、空気が、キャップ２０の通気道を通って且つ管４の中に真空チャンバからポンプで吸い出され、それが、膜に変形させるか又は反転させる。これは、圧出ユニットの漏斗５において生成される間接的な真空状態を生じさせる。膜の存在のため、キャップ２０及び管４は、概して圧出母乳と接触せず、従って、解体され且つ滅菌される必要があるということはあり得ない。取付け部材は、図９において見られるようにクリップ２１をさらに含む。キャップ２０は、射出成形によってクリップ２１と一体形成することができる。
【００６５】
管４の第１の末端がハウジングに取り付けられ、さらに、管４の第２の末端がキャップ２０に取り付けられる場合、使用後に、管４を傷つけることなく作動ユニット３を保管することができるように、管４をハウジングの周りに巻きつけることができるということが使用者に合図される。さらに、取付け部材がキャップ２０及びクリップを含む場合、さらに、取付け部材は巻きつけられた位置で管を固定するために使用されるため、搾乳器が保管される場合にキャップを誤って失うリスクが減らされる。
【００６６】
代わりの実施形態において、管４の第１の末端は、連結装置１５に接続されない。この実施形態において、管４は、ハウジングの周りに巻きつけられ、さらに、管の第２の末端で管の第１の末端を取り付けるように構成された取付け部材によってその巻きつけられた位置で固定される。取付け部材は、図１０において例示されているようにクリップであってもよい。
【００６７】
取付け部材は、管４がハウジングの周りに巻きつけられた場合に、作動ユニット３及び管４を容易にしまいこむ、保管する又は運ぶことができるように、その巻きつけられた位置で固定することができるという利点を提供する。さらに、だらりとぶらさがった部分はなく、さもなければそれは傷つけられ得る。加えて、管４がハウジングの周りに巻きつけられた場合に、管は容易に巻きを解くことができ且つすぐに使用することができるということが使用者に合図される。
【００６８】
代わりの例示されていない実施形態において、作動ユニットはさらに電気ケーブル又は連結装置を介して主電源に接続可能であるということがさらに予想される。この実施形態において、上記の実施形態のいずれによる作動ユニットの外表面も、加えて又は或いは、作動ユニットのハウジングの周囲に電気ケーブルを巻きつけるために使用することができる。従って、搾乳器システム１が使用されてきた且つ解体されてしまいこまれる場合に、管４及び／又は電気ケーブルは、ハウジングの側壁１０の外表面の周りに巻きつけることができる。
【００６９】
上記の搾乳器システムは１つの連結装置及び１つの管を含むよう記載されてきたけれども、上記の実施形態のいずれによる搾乳器システムも、使用者が同時に両方の乳房から母乳を圧出することができるように、第２のくぼみ内に置かれる第２の連結装置をさらに含むということ、及び、第２の管の第１の末端は連結装置に取付け可能であり、さらに、第２の管の第２の末端は第２の圧出ユニットに取り付け可能であるということが予想される。
【００７０】
上記の説明において管と関連して「座屈」という用語は、へこみ、よじれ又は折りたたみを含み且つカバーするということが理解されたい。従って、カーブした外表面の一部は、座屈、へこみ、よじれ又は折りたたみなしで管がハウジングの周りに巻きつけられるのを可能にする。
【００７１】
「含む」という用語は、他の要素又はステップを除外しないということ、及び、不定冠詞はその複数形を除外しないということが正しく理解されることになる。１つのプロセッサは、特許請求の範囲において列挙されたいくつかの項目の機能を満たすことができる。特定の手段が互いに異なる従属項において記載されているという単なる事実は、これらの手段の組合せを役立つよう使用することができないと示しているわけではない。特許請求の範囲におけるいかなる参照番号も、特許請求の範囲を限定するとして解釈されるべきではない。
【００７２】
請求項は本願において特定の特徴の組み合わせに系統だてて述べられてきたけれども、本発明の開示の範囲は、いかなる請求項においても現在請求されている同じ発明に関していようがいまいが、さらに、本発明のように同じ技術的問題のどれか若しくはその全てを和らげようが和らげまいが、本明細書において明確に、暗示的に、又は、そのいかなる一般化で開示されたいかなる新規の特徴又はいかなる新規の特徴の組み合わせも含むということが理解されるべきである。出願人は、本明細書によって、本願又はそこから引き出されるいかなるさらなる出願の遂行の間にも、新たな請求項をそのような特徴及び／又は特徴の組合せに系統だてて述べることができると注意を与える。
【図１】
0006441799.tif 000002
【図２】
0006441799.tif 000003
【図３】
0006441799.tif 000004
【図４】
0006441799.tif 000005
【図５】
0006441799.tif 000006
【図６】
0006441799.tif 000007
【図７】
0006441799.tif 000008
【図８】
0006441799.tif 000009
【図９】
0006441799.tif 000010
【図１０】
0006441799.tif 000011